(57)【要約】【課題】部品点数が少なく、かつ、電線ケーブルや光ファイバーケーブルを天井面や垂直壁面等へ作業性よく配線することができる配線ベース部材および配線カバー部材を提供することを目的としている。【解決手段】ケーブル挿入口１１の長手方向の少なくとも一部が、ケーブル挿入口１１に臨ませたケーブル２をケーブル収容部１２方向に押圧すると、配線ベース部材のケーブル挿入口近傍部およびケーブル２の外皮のうちの少なくともいずれかが弾性変形することによってケーブル２をケーブル収容部１２に押し込み可能で、ケーブル挿入口１１が下方を向いて取り付けた状態でケーブル収容部１２に収容されたケーブル全体がその自重でケーブル挿入口１１を介してケーブル収容部１２外へ抜け出るのを防止可能なケーブル２の最小幅Wminより狭い幅に形成されていることを特徴としている。【選択図】      図２
2007336666.tif 000002
【特許請求の範囲】
【請求項１】
ケーブル収容部と、このケーブル収容部にケーブルを挿入可能なスリット状のケーブル挿入口とを備えた配線ベース部材であって、
前記ケーブル挿入口の長手方向の少なくとも一部が、ケーブル挿入口に臨ませたケーブルをケーブル収容部方向に押圧すると、配線ベース部材のケーブル挿入口近傍部およびケーブルの外皮のうちの少なくともいずれかが弾性変形することによってケーブルをケーブル収容部に押し込み可能で、ケーブル挿入口が下方を向いて取り付けた状態でケーブル収容部に収容されたケーブル全体がその自重でケーブル挿入口を介してケーブル収容部外へ抜け出るのを防止可能なケーブルの最小幅Wminより狭い幅に形成されていることを特徴とする配線ベース部材。
【請求項２】
ケーブル収容部は、横断面の最小幅がケーブル収容部に収容されるケーブルの最大幅Wmaxより大きく形成されている請求項１に記載の配線ベース部材。
【請求項３】
ヘイズ値５０〜９５％である乳白色樹脂組成物を用いて成形されている請求項１または請求項２に記載の配線ベース部材。
【請求項４】
請求項１〜請求項３のいずれかに記載の配線ベース部材と、ケーブル挿入口を塞ぐように配線ベース部材に外嵌される配線モール部材とを備えることを特徴とする配線カバー部材。
【請求項５】
配線ベース部材の横断面外周形状が正方形で、配線モール部材の横断面内周形状が配線ベース部材の横断面外周形状と同じ大きさの正方形である請求項４に記載の配線カバー部材。
【請求項６】
配線モール部材がヘイズ値５０〜９５％である乳白色樹脂組成物を用いて成形されている請求項４または請求項５に記載の配線カバー部材。
【発明の詳細な説明】
【技術分野】
【０００１】
本発明は、配線ベース部材および配線カバー部材に関する。
【背景技術】
【０００２】
既存の建物内に新しく電線ケーブルや光ファイバーケーブル等を配線する場合、これらのケーブルの室内面に沿って配線される部分においては、室内の床面、壁面、天井面等の造営面に沿って図１３に示すような配線カバー部材１００を固定し、この配線カバー部材１００内にケーブル２００が収容されて、ケーブル２００が保護された状態で見栄えよく配線されるようになっている（たとえば、特許文献１参照）。
【０００３】
すなわち、配線カバー部材１００は、長手方向に連続するケーブル収容部１１１と、このケーブル収容部１１１にケーブル２００を挿入可能に長手方向に連続して開口するケーブル挿入口１１２とを備えた配線ベース部材１１０と、ケーブル挿入口１１２を塞ぐように配線ベース部材１１０に外嵌される配線モール部材１２０とを備え、まず、図１３（ａ）に示すように、ケーブル２００の配線経路に沿って配線ベース部材１１０を両面粘着テープやビス等の固定手段を用いて固定した状態で、配線ベース部材１１０のケーブル収容部１１１内にケーブル２００を配線ベース部材１１０の一端から他端に向かって順に挿入したのち、配線モール部材１２０を図１３（ｂ）、（ｃ）のようにして配線ベース部材１１０に外嵌させるようになっている。
【０００４】
しかし、ケーブル２００には巻き癖等があり、配線ベース部材１１０のケーブル収容部１１１に挿入している途中にケーブル挿入口１１２から配線ベース部材１１０外に一部が飛び出すという問題がある。また、天井面や垂直壁面等に沿ってケーブル２００を敷設する場合には、一人作業が難しいという問題がある。
【０００５】
そこで、図１４に示すような配線カバー部材（特許文献２参照）３００が提案されている。すなわち、この配線カバー部材３００は、図１４に示すように、細長い配線ベース部材３１０と、細長い配線モール部材３２０と、配線ベース部材３１０に間欠的に取り付けられるケーブル規制バンド３３０とを備え、上記配線カバー部材１００と同様にして図１４（ａ）に示すように配線ベース部材３１０のケーブル収容部３１１にケーブル２００を挿入しながら、図１４（ｂ）に示すように、所定ピッチごとに+を配線ベース部材３１０に取り付けてケーブル２００のケーブル収容部３１１からの飛び出しを防止し、最後に図１４（ｃ）に示すように、配線モール部材３２０を配線ベース部材３１０に外嵌させるようになっている。したがって、この配線カバー部材３００を用いれば、一人作業であっても天井面や垂直壁面等に沿って容易に配線カバー部材３００内にケーブル２００を敷設できるようになる。
【０００６】
しかしながら、この配線カバー部材３００の場合、配線ベース部材３１０および配線モール部材３２０以外に複数のケーブル規制バンド３３０が必要となり、部品点数が多く、配線作業が煩雑になるとともに、コストアップになるという問題がある。
【０００７】
【特許文献１】特開2003-164034号公報
【特許文献２】特開2002-290070号公報
【発明の開示】
【発明が解決しようとする課題】
【０００８】
本発明は、上記事情に鑑みて、部品点数が少なく、かつ、電線ケーブルや光ファイバーケーブルを天井面や垂直壁面等へ作業性よく配線することができる配線ベース部材および配線カバー部材を提供することを目的としている。
【課題を解決するための手段】
【０００９】
上記目的を達成するために、本発明の請求項１に記載の配線ベース部材（以下、「請求項１の配線ベース部材」と記す）は、ケーブル収容部と、このケーブル収容部にケーブルを挿入可能なスリット状のケーブル挿入口とを備えた配線ベース部材であって、
前記ケーブル挿入口の長手方向の少なくとも一部が、ケーブル挿入口に臨ませたケーブルをケーブル収容部方向に押圧すると、配線ベース部材のケーブル挿入口近傍部およびケーブルの外皮のうちの少なくともいずれかが弾性変形することによってケーブルをケーブル収容部に押し込み可能で、ケーブル挿入口が下方を向いて取り付けた状態でケーブル収容部に収容されたケーブル全体がその自重でケーブル挿入口を介してケーブル収容部外へ抜け出るのを防止可能なケーブルの最小幅Wminより狭い幅に形成されていることを特徴としている。
【００１０】
本発明の請求項２に記載の配線ベース部材（以下、「請求項２の配線ベース部材」と記す）は、請求項１の配線ベース部材において、ケーブル収容部は、横断面の最小幅がケーブル収容部に収容されるケーブルの最大幅Wmaxより大きく形成されていることを特徴としている。
【００１１】
本発明の請求項３に記載の配線ベース部材（以下、「請求項３の配線ベース部材」と記す）は、請求項１または請求項２の配線ベース部材において、ヘイズ値５０〜９５％である乳白色樹脂組成物を用いて成形されていることを特徴としている。
【００１２】
本発明の請求項４に記載の配線カバー部材（以下、「請求項４の配線カバー部材」と記す）は、請求項１〜請求項３のいずれかの配線ベース部材と、ケーブル挿入口を塞ぐように配線ベース部材に外嵌される配線モール部材とを備えることを特徴としている。
【００１３】
本発明の請求項５に記載の配線カバー部材（以下、「請求項５の配線カバー部材」と記す）は、請求項４の配線カバー部材において、配線ベース部材の横断面外周形状が正方形で、配線モール部材の横断面内周形状が配線ベース部材の横断面外周形状と同じ大きさの正方形であることを特徴としている。
【００１４】
本発明の請求項６に記載の配線カバー部材（以下、「請求項６の配線カバー部材」と記す）は、請求項４または請求項５の配線カバー部材において、配線モール部材がヘイズ値５０〜９５％である乳白色樹脂組成物を用いて成形されていることを特徴としている。
【００１５】
本発明において、配線ベース部材および配線モール部材の材質としては特に限定されないが、弾性係数が１００〜４００kg/mm2程度の合成樹脂、たとえば、ポリプロピレン、ＡＢＳ樹脂、ポリ塩化ビニル、ポリカーボネート等が好ましく、中でも、弾性係数２００kg/mm2程度のＡＢＳ樹脂、ポリ塩化ビニルがより好ましい。
【００１６】
上記ケーブル挿入口の収容されるケーブルの最小幅Wminより小さくなった部分の幅（以下、「Wn」と記す）は、収容されるケーブルの最小幅Wminより小さく、かつ、ケーブル挿入口に臨ませたケーブルをケーブル収容部方向に押圧すると、配線ベース部材のケーブル挿入口近傍部およびケーブルの外皮のうちの少なくともいずれかが弾性変形することによってケーブルをケーブル収容部に押し込み可能で、ケーブル挿入口が下方を向いて取り付けた状態でケーブル収容部に収容されたケーブル全体がその自重でケーブル挿入口を介してケーブル収容部外へ抜け出るのを防止可能であれば、特に限定されないが、たとえば、成形し易さ、低い材料コスト、施工性等を考慮して、配線ベース部材をＡＢＳ樹脂、ポリ塩化ビニル等の弾性係数２００kg/mm2程度の合成樹脂によって成形するとともに、配線ベース部材の壁面の厚みを０．５〜２mmの均一な厚みとした場合、
Wn＝Wmin−α、α=Wmin＊０．０５〜Wmin＊０．５を満足させることが好ましい。
【００１７】
請求項３の配線ベース部材および請求項６の配線カバー部材の配線モール部材は、ヘイズ値５０〜９５％（より好ましくは９０％程度）である乳白色樹脂組成物で形成されるが、その理由は、回縁に沿って配線ベース部材および配線カバー部材を設けた場合、配線ベース部材および配線モール部材が半透明の乳白色であるので、天井面、壁面の色と同化したようになり、目立たなくでるためである。
【００１８】
本発明の配線ベース部材および配線カバー部材を用いて配線されるケーブルは、特に限定されないが、電力線用ケーブル、アンテナ線用ケーブル、光ファイバーケーブル等が挙げられる。これらのケーブルは単芯でも２芯以上でも構わない。
光ファイバーケーブルは、光ファイバーが、合成樹脂製のものでも、ガラス製のものでも構わない。
【００１９】
配線モール部材の形状としては、特に限定されず、たとえば、直線状のものだけでなく、図１０に示す入隅用配線モール部材５、図１１に示す出隅用配線モール部材６、図１２に示す曲がり用配線モール部材７などの曲がり部に用いられるＬ字形をしたものが挙げられる。
配線モール部材の材質としては、特に限定されず、配線ベース部材と同じ材質の合成樹脂でも構わないが、ポリエチレン、ポリプロピレン等のオレフィン系樹脂が好ましい。
【発明の効果】
【００２０】
請求項１の配線ベース部材は、以上のように、前記ケーブル挿入口の長手方向の少なくとも一部が、ケーブル挿入口に臨ませたケーブルをケーブル収容部方向に押圧すると、配線ベース部材のケーブル挿入口近傍部およびケーブルの外皮のうちの少なくともいずれかが弾性変形することによってケーブルをケーブル収容部に押し込み可能で、ケーブル挿入口が下方を向いて取り付けた状態でケーブル収容部に収容されたケーブル全体がその自重でケーブル挿入口を介してケーブル収容部外へ抜け出るのを防止可能なケーブルの最小幅Wminより狭い幅に形成されているので、配線ベース部材を造営面に固定したのち、ケーブル挿入口を介してケーブル収容部にケーブルを挿入するだけで、ケーブルがケーブル収容部外に垂れ下がったりすることなく、配線ベース部材のケーブル収容部に収容された状態に保持される。
すなわち、ケーブル規制バンドなど他の部材を用いなくてもケーブルのケーブル収容部からの飛び出しを防止することができるので、部品点数を少なくできるとともに、作業性も向上する。
【００２１】
請求項２の配線ベース部材は、ケーブル収容部が、横断面の最小幅がケーブルの最大幅Wmaxより大きく形成されているので、ケーブル収容部に収容されたケーブルをケーブル収容部内でケーブル収容部の軸回りに自由に回転させることができる。
したがって、光ファイバーケーブルのように、塑性変形させることができないケーブルであってもケーブルに捻れによるストレスを加えずにコーナーで曲げることができる。
【００２２】
請求項３の配線ベース部材は、ヘイズ値５０〜９５％である乳白色樹脂組成物を用いて成形されているので、回縁に沿って設置した場合、ボカシにより目立たない。したがって、ケーブルを見栄えよく室内に配線することができる。
【００２３】
請求項４の配線カバー部材は、上記本発明の配線ベース部材と、ケーブル挿入口を塞ぐように配線ベース部材に外嵌される配線モール部材とを備えるので、天井面や垂直壁面にケーブルを配線する場合であっても、上記のように、一旦配線ベース部材のケーブル収容部に収容されたケーブルは、ケーブル収容部から飛び出すことがないので、配線モール部材の取り付け作業が容易となる。
【００２４】
請求項５の配線カバー部材は、配線ベース部材の横断面外周形状が正方形で、配線モール部材の横断面内周形状が配線ベース部材の横断面外周形状と同じ大きさの正方形であるので、配線カバー部材を回縁に沿って設ける場合、入隅部では、上記入隅用配線モール部材５に代えて曲がり用配線モール部材７を用いることができ、出隅部では、出隅用配線モール部材６に代えて曲がり用配線モール部材７を用いることができる。
すなわち、配線モール部材として直線状の配線モール部材および曲がり用配線モール部材だけを用意すればよくなり、部品点数が減り、コストダウンを図ることができる。
【００２５】
請求項６の配線カバー部材は、配線モール部材がヘイズ値５０〜９５％である乳白色樹脂組成物を用いて成形されているので、回縁に沿って設置した場合、ボカシにより目立たない。したがって、ケーブルを見栄えよく室内に配線することができる。
【発明を実施するための最良の形態】
【００２６】
以下に、本発明を、その実施の形態をあらわす図面を参照しつつ詳しく説明する。
図１および図２は、本発明にかかる配線ベース部材の第１の実施の形態をあらわしている。
【００２７】
図１および図２に示すように、この配線ベース部材１ａは、ＪＩＳ  Ｃ  ６８３６相当の２心プラスチック光ファイバーケーブル２の配線に用いられるものであって、ＡＢＳ樹脂、ポリ塩化ビニル等の弾性係数２００kg/mm2程度の合成樹脂を主成分とするヘイズ値５０〜９５％の乳白色樹脂組成物を用いて、横断面の外縁の１辺の長さがＬの正方形となるように成形されている。
【００２８】
また、この配線ベース部材１ａは、ケーブル挿入口１１部分を除き、０．５〜２mmの範囲の同じ厚みの壁によって略C字形に囲まれた横断面正方形のケーブル収容部１２を備えている。
ケーブル収容部１２は、横断面の正方形の一辺の長さ、すなわち、横断面の最小幅W１が光ファイバーケーブル２の最大幅Wmaxより大きくなっている。
【００２９】
ケーブル挿入口１１は、図１に示すように、その幅をW、光ファイバーケーブル２の最小幅をWminとしたとき、W＝Wmin−α、α=Wmin＊０．０５〜Wmin＊０．５を満足させる均一な幅で長手方向の一端から他端まで全長にわたって形成されている。
すなわち、この配線ベース部材１ａは、上記のようになっており、図２（ａ）に示すように、光ファイバーケーブル２の最小幅側をケーブル挿入口１１を臨ませて、ケーブル収容部１２側に光ファイバーケーブル２を押し込むと、ケーブル挿入口１１の近傍部が撓み、ケーブル挿入口１１がWmin以上となり、図２（ｂ）に示すように、光ファイバーケーブル２がケーブル収容部１２内に嵌まり込む。一方、天井面に取り付けられた場合のように、ケーブル挿入口１１が下側を向いて配線ベース部材１ａが取り付けられ、ケーブル収容部１２に収容された光ファイバーケーブル２によってケーブル挿入口１１の近傍部が撓んでもケーブル挿入口１１の幅がWmin以上にはならず、光ファイバーケーブル２の自重では光ファイバーケーブル２がケーブル収容部１２外へ抜け出ることがない。
【００３０】
図３は、本発明にかかる配線ベース部材の第２の実施の形態をあらわしている。
図３に示すように、この配線ベース部材１ｂは、ケーブル挿入口１３が、幅狭小部１３ａと、幅広部１３ｂとを交互に備え、幅狭小部１３ａの幅Ｗｎが、Wｎ＝Wmin−α、α=Wmin＊０．０５〜Wmin＊０．５を満足するように形成されている以外は、上記配線ベース部材１ａと同様になっている。
【００３１】
図４は、本発明にかかる配線ベース部材の第３の実施の形態をあらわしている。
図４に示すように、この配線ベース部材１ｃは、ケーブル挿入口１４が、幅狭小部１４ａと、幅広部１４ｂとを交互に備え、幅狭小部１４ａの幅Ｗｎが、Wｎ＝Wmin−α、α=Wmin＊０．０５〜Wmin＊０．５を満足するように形成されているとともに、幅狭小部１４ａが幅方向の一端に交互に形成されている以外は、上記配線ベース部材１ａと同様になっている。
【００３２】
つぎに、本発明の配線カバー部材の１つの実施の形態を図５〜図８を用いて詳しく説明する。
【００３３】
図５に示すように、この配線カバー部材３は、上記配線ベース部材１ａと、直線部分用配線モール部材４と、図６に示す入隅用配線モール部材５と、図７に示す出隅用配線モール部材６と、図８に示す曲がり用配線モール部材７とを備えている。
そして、各配線モール部材４〜７は、ポリエチレン樹脂を主成分とするヘイズ値５０〜９５％の乳白色樹脂組成物を用いて横断面正方形のコ字形に成形されているとともに、横断面内縁の一辺の長さが配線ベース部材１ａの横断面外縁の一辺の長さと同様にLとなっている。
【００３４】
したがって、各配線モール部材４〜７は、図５（ｂ）に示すように、配線ベース部材１ａのケーブル挿入口１１を塞ぐとともに、配線ベース部材１ａを完全に覆い隠した状態で配線ベース部材１ａに外嵌できる。
【００３５】
以下に、本発明の具体的な実施例を説明する。
（実施例１）
図９に示すように、各部の寸法が、以下のとおりである配線ベース部材１ａを弾性係数が200kg/mm2であるＡＢＳ樹脂を用いて成形した。
W2＝1.9mm，W3=4.8mm、W４＝4.8mm、ｔ＝0.8mm
【００３６】
ケーブル挿入口１１に最小幅Wmin=2.1mm、最大幅Wmax=4.6mm、単位重量0.01kg/mであるＪＩＳＣ６８３６相当の２心プラスチック光ファイバ（ＰＯＦ）の最小幅側をケーブル挿入口１１に臨ませて約0.35kg以上でケーブル収容部１２側に押し付けると、配線ベース部材１ａのケーブル挿入口１１近傍部分に0.2mm以上の撓みが生じ、ケーブル挿入口１１の幅が2.1mm以上となり、ＰＯＦを、ケーブル挿入口１１に押し込むことができた。
【００３７】
つぎに、配線ベース部材の想定される取り付け高さ５ｍ（２階建て吹き抜け部分を想定）にしたときのＰＯＦ重量は、0.01kg/m×5m=0.05kgとなるので、ＰＯＦの最小幅側をケーブル挿入口１１に臨ませて0.05kgでケーブル収容部１２側に押し付けると、配線ベース部材１ａのケーブル挿入口１１近傍部分に0.12mmたわみが生じ、ケーブル挿入口１１の幅が2.02mmに広がったが、2.1mm未満であるので、ＰＯＦはケーブル収容部１２に押し込めなかった。
このことから、ケーブル収容部に収容されたケーブルが自重ではケーブル挿入口１１から抜け落ちることがないことがわかった。
【図面の簡単な説明】
【００３８】
【図１】本発明にかかる配線ベース部材の第１の実施の形態をあらわす斜視図である。
【図２】図１の配線ベース部材のケーブル収容部への収容方法を説明する図であって、同図（ａ）が収容前、同図（ｂ）が収容後をあらわしている。
【図３】本発明にかかる配線ベース部材の第２の実施の形態をあらわす斜視図である。
【図４】本発明にかかる配線ベース部材の第３の実施の形態をあらわす斜視図である。
【図５】本発明にかかる配線カバー部材の１つの実施の形態であって、その配線ベース部材に直線用配線モール部材を外嵌させた状態をあらわし、同図（ａ）は平面図、同図（ｂ）は側面図である。
【図６】図５の配線カバー部材の入隅用配線モール部材をあらわし、同図（ａ）は平面図、同図（ｂ）は右側面図、同図（ｃ）は底面図である。
【図７】図５の配線カバー部材の出隅用配線モール部材をあらわし、同図（ａ）は平面図、同図（ｂ）は右側面図、同図（ｃ）は底面図である。
【図８】図５の配線カバー部材の曲がり部用配線モール部材をあらわし、同図（ａ）は平面図、同図（ｂ）は左側面図、同図（ｃ）は底面図である。
【図９】実施例で作製した配線ベース部材の各部の寸法を説明する図である。
【図１０】配線カバー部材の入隅用配線モール部材の斜視図である。
【図１１】配線カバー部材の出隅用配線モール部材の斜視図である。
【図１２】配線カバー部材の曲がり部用配線モール部材の斜視図である。
【図１３】公知の配線カバー部材の使用説明図である。
【図１４】他の公知の配線カバー部材の使用説明図である。
【符号の説明】
【００３９】
１ａ，１ｂ，１ｃ  配線ベース部材
１１，１３，１４  ケーブル挿入口
１２  ケーブル収容部
２  ２心プラスチック光ファイバーケーブル（ケーブル）
３  配線カバー部材
４  直線部用配線モール部材
５  入隅用配線モール部材
６  出隅用配線モール部材
７  曲がり部用配線モール部材
【図１】
2007336666.tif 000003
【図２】
2007336666.tif 000004
【図３】
2007336666.tif 000005
【図４】
2007336666.tif 000006
【図５】
2007336666.tif 000007
【図６】
2007336666.tif 000008
【図７】
2007336666.tif 000009
【図８】
2007336666.tif 000010
【図９】
2007336666.tif 000011
【図１０】
2007336666.tif 000012
【図１１】
2007336666.tif 000013
【図１２】
2007336666.tif 000014
【図１３】
2007336666.tif 000015
【図１４】
2007336666.tif 000016